(57)【要約】【課題】表示面積の減少を防止することができるパッケージを提供する。【解決手段】パッケージ本体１１の前面２３側を構成する前面構成部２４を底部構成部２７に対して折曲して起立できるように構成し、後面２５側を構成する後面構成部２６を底部構成部２７に対して折曲して起立できるように構成する。後面構成部２６の周縁部に後方へ突出する凸部９１を設け、前面構成部２４に周縁より延出する延出片６１を後面構成部材２６側へ折返し可能に設ける。延出片６１に凸部９１と係合する凹部６２ａを設ける。【選択図】図４
2010280398.tif 000002
【特許請求の範囲】
【請求項１】
前面側を構成する前面構成部と、後面側を構成する後面構成部とを重ね合わせて形成したパッケージにおいて、
前記後面構成部の周縁部に後方へ突出する凸部を設ける一方、
前記前面構成部に周縁より延出する延出片を前記後面構成部材側へ折返し可能に設け、当該延出片に前記凸部と係合する凹部を設けたことを特徴とするパッケージ。
【請求項２】
前記延出片を前記前面構成部の自由端部側に設定するとともに、前記延出片に設けられた前記凹部と係合する前記凸部を前記後面構成部の自由端部側に設定したことを特徴とする請求項１記載のパッケージ。
【発明の詳細な説明】
【技術分野】
【０００１】
本発明は、製品を収容するパッケージに関する。
【背景技術】
【０００２】
従来、製品は、ケース等に収容した状態で陳列され販売されており、そのケースとしては、透明のプラスチックで形成されたパッケージが知られている（例えば、特許文献１参照。）。
【０００３】
このパッケージは、パッケージ本体を折り畳んで使用するように構成されており、折り畳んだ状態で前面側を構成する前面構成部と、後面側を構成する後面構成部とが形成されている。
【０００４】
前記前面構成部と前記後面構成部との対向部位には、製品を収容する為の凹部が形成されており、前記前面構成部に形成された凹部と前記後面構成部に形成された凹部とで形成された収容空間に製品を収容できるように構成されている。
【０００５】
また、前記後面構成部の上部側を構成するフランジ部には、係合凹部が形成されており、前記前面構成部の上部側を構成するフランジ部には、係合凸部が形成されている。
【０００６】
これにより、前記前記収容空間内に前記製品を収容して前記前面構成部を前記後面構成部に重ねた状態で、前記前面構成部の前記係合凸部が前記後面構成部の前記係合凹部に嵌合して係合するように構成されており、この係合状態を形成することで、前記前面構成部と前記後面構成部との間に前記製品を保持した状態に維持できるように構成されている。
【先行技術文献】
【特許文献】
【０００７】
【特許文献１】特開２００９−００１３４１公報
【発明の概要】
【発明が解決しようとする課題】
【０００８】
しかしながら、このような従来のパッケージにあっては、前面構成部と後面構成部間に製品を保持する為に、表示用として利用される平坦なフランジ部に前記係合凸部や前記係合凹部を形成しなければならなかった。
【０００９】
これにより、表示面積が減少するという問題があった。
【００１０】
本発明は、このような従来の課題に鑑みてなされたものであり、表示面積の減少を防止することができるパッケージを提供することを目的とするものである。
【課題を解決するための手段】
【００１１】
前記課題を解決するために本発明の請求項１のパッケージにあっては、前面側を構成する前面構成部と、後面側を構成する後面構成部とを重ね合わせて形成したパッケージにおいて、前記後面構成部の周縁部に後方へ突出する凸部を設ける一方、前記前面構成部に周縁より延出する延出片を前記後面構成部材側へ折返し可能に設け、当該延出片に前記凸部と係合する凹部を設けた。
【００１２】
すなわち、前面構成部と後面構成部とを重ね合わせた状態において、前面構成部の周縁より延出した延出片を後面構成部側へ折り返すとともに、当該延出片に設けられた凹部を前記後面構成部に設けられた凸部に係合することによって、前記前面構成部と前記後面構成部とが重ね合わされた状態に維持することができる。
【００１３】
このとき、前記凸部は、前記後面構成部の周縁部に形成されており、後方へ突出するように設けられている。また、当該凸部と係合する前記凹部は、前記後面構成部側に折り返される前記延出片に設けられている。
【００１４】
このため、前記前面構成部の周縁部は平坦な状態に維持される。
【００１５】
また、請求項２のパッケージにおいては、前記延出片を前記前面構成部の自由端部側に設定するとともに、前記延出片に設けられた前記凹部と係合する前記凸部を前記後面構成部の自由端部側に設定した。
【００１６】
すなわち、前記延出片は、前記前面構成部の自由端部側に設定されており、前記延出片の前記凹部と係合する前記凸部は、前記後面構成部の自由端部側に設定されている。
【００１７】
このため、前記前面構成部と前記後面構成部とは、例えば両者を連結したヒンジ点から最も離れた部位が前記延出片で連設されるとともに、該延出片の前記凹部と前記凸部との係合構造によって固定される。
【発明の効果】
【００１８】
以上説明したように本発明の請求項１のパッケージにあっては、係合構造を構成する凸部は、後面構成部の周縁部において後方へ突出するように設けられており、この凸部と係合する凹部は、前面構成部より前記後面構成部側に折り返される延出片に設けられている。
【００１９】
これにより、前記前面構成部の周縁部を平坦な状態に維持することができるので、この平坦部分の内側に印刷が施された厚紙を挟持したり、この平坦部分に印刷を施す等することによって、当該平坦部分も表示領域として利用することができる。
【００２０】
したがって、前記前面構成部の周縁部に係合凸部を設けなければならなかった従来と比較して、表示面積の減少を招くことなく、前記前面構成部と前記後面構成部との重合状態を維持することができるとともに、前面に凹凸が現れないため、パッケージ表面のデザイン性を損なわず、デザイン性が向上する。
【００２１】
そして、前記前面構成部に設けられた前記延出片を前記後面構成部側に折り返すことによって、前記前面構成部の端縁と前記後面構成部の端縁の露出を防止することができる。これにより、当該端縁への干渉に起因した両構成部の不用意な開放を未然に防止することができる。
【００２２】
また、請求項２のパッケージにおいて、前記延出片は、前記前面構成部の自由端部側に設定されており、前記延出片の前記凹部と係合する前記凸部は、前記後面構成部の自由端部側に設定されている。
【００２３】
このため、前記前面構成部と前記後面構成部とを、例えば両者を連結するヒンジ点から最も離れた部位において前記延出片で連設することができる。これにより、前記前面構成部と前記後面構成部とが重ねられた状態を確実に維持することができるとともに、両構成部の自由端部側からの不用意な捲れを防止することができる。
【図面の簡単な説明】
【００２４】
【図１】本発明の一実施の形態を示す平面図である。
【図２】同実施の形態の側面図である。
【図３】同実施の形態の使用例を示す説明図である。
【図４】同実施の形態の使用例を示す図３に続く説明図である。
【発明を実施するための形態】
【００２５】
以下、本発明の一実施の形態を図に従って説明する。
【００２６】
図１は、本実施の形態にかかるパッケージ１を示す図であり、該パッケージ１は、製品を収容するものである。
【００２７】
このパッケージ１のパッケージ本体１１は、図１及び図２に示すように、所定の剛性を有した無色透明のプラスチックシートで構成されており、長方形状のプラスチックシートがプレスされることによって形成されている。
【００２８】
このパッケージ本体１１は、略中央部に平行して設けられた第一折曲線２１及び第二折曲線２２が横断して設けられており、各折曲線２１，２２を中心として折曲できるように構成されている。前記第一折曲線２１より図２中右側の部分は、起立した状態（図３及び図４参照）でパッケージ１の前面２３側を形成する前面構成部２４を構成しており、前記第二折曲線２２より図２中左側の部分は、起立した状態（図３及び図４参照）でパッケージ１の後面２５側を形成する後面構成部２６を構成している。また、前記第一折曲線２１と前記第二折曲線２２間の部位は、前記前面構成部２４及び前記後面構成部２６を起立した状態で底部を形成する底部構成部２７を構成している。
【００２９】
該底部構成部２７は、前斜面３１と後斜面３２とを備えた山形状に形成されており、その一部には、平坦に形成された平面部３３が形成されている。前記前面構成部２４には、図２から図４に示すように、起立した状態で前記前斜面３１に沿って延在する前面側斜面３４が基端側に形成されており、前記後面構成部２６には、起立した状態で前記後斜面３２に沿って延在する後面側斜面３５が基端側に形成されている。
【００３０】
これにより、前記前面構成部２４及び前記後面構成部２６を起立した状態で、前記前面構成部２４及び前記後面構成部２６を前記底部構成部２７に対して略垂直に起立できるように構成されている。
【００３１】
前記前面構成部２４には、前側に突出した前面膨出部４１が膨出形成されており、この前面膨出部４１に対向する前記後面構成部２６の部位には、後側に突出した後面膨出部４２が膨出形成されている。これにより、図３及び図４に示すように、前記前面構成部２４に形成された前記前面膨出部４１と前記後面構成部２６に形成された前記後面膨出部４２と前記底部構成部２７に形成された前記平面部３３とによって包囲された収容空間４３に製品を収容して保持できるように構成されている。
【００３２】
前記前面構成部２４における前記前面膨出部４１の外周部には、平坦な前面フランジ部５１が形成されており、前記後面構成部２６の前記後面膨出部４２の外周部には、平坦な後面フランジ部５２が形成されている。これにより、前記前面構成部２４及び前記後面構成部２６を起立した状態で、前記前面構成部２４の前記前面フランジ部５１と、前記後面構成部２６の前記後面フランジ部５２とが対面するように構成されている。
【００３３】
前記前面構成部２４の自由端側の縁部からは、図１及び図２に示したように、横長の長方形状の延出片６１が延出しており、当該延出片６１の基端には、前記前面構成部２４に沿って横断する上部折曲線６２が薄肉部によって形成されている。これにより、図４に示したように、前記延出片６１を前記上部折曲線６２で折曲して前記後面構成部２６に沿って配置できるように構成されている。
【００３４】
前記延出片６１の基端側の中央部には、図１に示したように、第一楕円穴７１が開設されており、この延出片６１には、前記第一楕円穴７１を回避するように当該延出片６１の幅方向に延在する矩形状の凹部６２ａが外面側へ向けて没入形成されている。この凹部６２ａ内には、円形状の係合部６３，６３が二箇所に設けられており、各係合部６３，６３は、前記凹部６２ａの底面６４から内面側へ向けて膨出形成されている。
【００３５】
この延出片６１が折り返された状態で重合する前記後面構成部２６の前記後面フランジ部５２の部位には、第二楕円穴８１が前記第一楕円穴７１と合致する位置に開設されており、これらの楕円穴７１，８１が対向する前記前面構成部２４の前記前面フランジ部５１の部位には、円形穴８２が開設されている。
【００３６】
これにより、この円形穴８２と前記各楕円穴７１，８１とによって前後に貫通する吊り下げ穴が形成されるように構成されており、この吊り下げ穴を利用して当該パッケージ１を陳列フックに係止できるように構成されている。
【００３７】
前記延出片６１が重合する前記後面構成部２６の前記後面フランジ部５２の部位、すなわち前記後面構成部２６の自由端部側の部位には、前記第二楕円穴８１を回避するように横方向に延在する矩形状の凸部９１が外面側へ向けて膨出形成されており、当該凸部９１は、前記延出片６１に形成された前記凹部６２ａに内嵌して係合するように構成されている。この凸部９１内には、円形状の被係合部９２，９２が二箇所に設けられており、各被係合部９２，９２は、前記凸部９１，９１の天面９３から内面側へ向けて後退形成されている。各被係合部９２，９２は、折り返された前記延出片６１の前記各係合部６３，６３と合致する位置に設けられており、各係合部６３，６３を対応する被係合部９２，９２に嵌入した状態で係合できるように構成されている。
【００３８】
以上の構成にかかる本実施の形態において、図３に示したように、パッケージ本体１１を折曲して前記前面構成部２４と前記後面構成部２６とを重ね合わせた状態において、前記前面構成部２４の周縁より延出した延出片６１を、図４に示したように、前記後面構成部２６側へ折り返すとともに、当該延出片６１に設けられた前記凹部６２ａを前記後面構成部２６に設けられた前記凸部９１に係合することによって、前記前面構成部２４と前記後面構成部２６とが重ね合わされた状態に維持することができる。
【００３９】
このとき、前記凸部９１は、前記後面構成部２６の周縁部に形成されており、後方へ突出するように設けられている。また、当該凸部９１と係合する前記凹部６２ａは、前記後面構成部２６側に折り返される前記延出片６１に設けられている。
【００４０】
これにより、前記前面構成部２４の周縁部を平坦な状態に維持することができる。このため、この平坦部分の内側に印刷が施された厚紙を挟持したり、この平坦部分に印刷を施す等することによって、当該平坦部分も表示領域１０１として利用することができる。
【００４１】
したがって、前記前面構成部２４の周縁部に係合凸部を設けなければならなかった従来と比較して、表示面積の減少を招くことなく、前記前面構成部２４と前記後面構成部２６との重合状態を維持することができる。また、前面に凹凸が現れないため、パッケージ表面のデザイン性を損なわず、デザイン性が向上する。
【００４２】
そして、前記前面構成部２４に設けられた前記延出片６１を前記後面構成部２６側に折り返すことによって、前記前面構成部２４の端縁と前記後面構成部２６の端縁の露出を防止することができる。これにより、当該端縁への干渉に起因した両構成部２４，２６の不用意な開放を未然に防止することができる。
【００４３】
そして、前記延出片６１は、前記前面構成部２４の自由端部側に設定されており、前記延出片６１の前記凹部６２ａと係合する前記凸部９１は、前記後面構成部２６の自由端部側に設定されている。
【００４４】
このため、前記前面構成部２４と前記後面構成部２６とを、前記第一折曲線２１及び第二折曲線２２が構成するヒンジ点から最も離れた部位において、前記延出片６１にて連設することができる。
【００４５】
これにより、前記前面構成部２４と前記後面構成部２６とが重ねられた状態を確実に維持することができるとともに、両構成部２４，２６の自由端部側からの不用意な捲れを防止することができる。
【符号の説明】
【００４６】
１    パッケージ
１１    パッケージ本体
２３    前面
２４    前面構成部
２５    後面
２６    後面構成部
５１    前面フランジ部
５２    後面フランジ部
６１    延出片
６２ａ    凹部
９１    凸部
１０１    表示領域
【図１】
2010280398.tif 000003
【図２】
2010280398.tif 000004
【図３】
2010280398.tif 000005
【図４】
2010280398.tif 000006